(57)【要約】【課題】磁気記憶装置の記憶媒体に記録されたデータを簡単、かつ確実に消去できる磁気記憶装置の記録データ消去装置を提供する。【解決手段】装置本体１に設けられて、磁気記憶装置Ｍが挿入配置される挿入用空所２と、この挿入用空所２に挿入状態の磁気記憶装置Ｍにおける記録データを消去させるための磁界発生手段３と、この磁界発生手段３による磁界内に配設された磁性体部４とを備える。【選択図】    図２
2004192683.tif 000002
【特許請求の範囲】
【請求項１】
装置本体に設けられて、磁気記憶装置が挿入・配置される挿入用空所と、
前記挿入用空所に挿入された状態の磁気記憶装置における記録データを消去させるための磁界発生手段と、
前記磁界発生手段による磁界内に配設された磁性体部と、
を備えたことを特徴とする磁気記憶装置の記録データ消去装置。
【請求項２】
前記磁界発生手段は、前記挿入用空所に挿入・配置された磁気記憶装置を取り巻く態様となるようにリング状に設けられるコイルと、
コイルを励磁する直流電源回路と、
で構成されている請求項１に記載の磁気記憶装置の記録データ消去装置。
【請求項３】
前記装置本体は、
前端面が開放された箱形ケースと、
前記箱形ケースの開口を開閉可能に閉塞する蓋体と、
を備え、
前記箱形ケースには、内空部が前記挿入用空所として構成され、かつ外周面にコイルが巻装された中空状のコイルスプールが、前記内空部の開口を該箱形ケースの開口に向けた状態で配備されており、
前記箱形ケース及び蓋体が前記磁性体部として構成されている請求項２に記載の磁気記憶装置の記録データ消去装置。
【発明の詳細な説明】
【０００１】
【発明の属する技術分野】
この発明は、ハードディスク装置や磁気テープカートリッジ等の磁気記憶装置の記憶媒体に記録されたデータを消去するのに用いられる磁気記憶装置の記録データ消去装置に関する。
【０００２】
【従来の技術及び発明が解決しようとする課題】
例えばハードディスク装置を廃棄したり再利用等する場合、データの漏洩防止の観点から、ハードディスク装置におけるハードディスクに記録されているデータを消去することが一般に行われている。
【０００３】
このようなハードディスク装置の記録データの消去は、従来、ハードディスクにおける記憶データに上書きデータ、例えば「００」のデータを繰り返して書き込むことにより行われていた。しかし、データの上書きによる消去処理は、大きな作業負担と時間を必要とするという問題があった。一例をあげると、２０Ｇバイトの記憶容量のハードディスクのデータを消去するのに１２時間以上もの長時間を費やさなければならなかった。
【０００４】
一方、ハードディスクと同じく記録媒体であるフロッピィディスクや磁気テープ等のデータを消去するための消去装置として、円環状コアの外周面に巻回したトロイダル状のコイルを、消去装置本体内に配置するとともに、このコイルに交流電源を接続したものが知られている（例えば特許文献１参照）。
【０００５】
【特許文献１】
特許公報第２５４５４５１号
この消去装置では、装置本体の外面部にフロッピィディスクやテープ等を配置し、前記コイルに交流電源から交流電流を通電して交番磁界を発生させ、この磁界によってフロッピィディスクや磁気テープに記録されたデータを消去するものである。
【０００６】
しかしながら、この消去装置を用いて、例えばハードディスク装置のデータ消去を行おうとしても、ハードディスク装置におけるハードディスクが鉄やアルミニウム等の金属製ケースで収容されているため、消去装置本体の外面部にハードディスク装置をセットして、消去装置の磁界を発生させただけではハードディスク装置内のハードディスクを通過する磁力線数が少なく、ハードディスクに記録されたデータを有効に消去しきれないという問題がある。
【０００７】
この発明は、このような技術的背景に鑑みてなされたものであり、磁気記憶装置の記憶媒体に記録されたデータを簡単、かつ確実に消去することができる磁気記憶装置の記録データ消去装置を提供することを課題とする。
【０００８】
上記課題を解決するために、この発明者等は、磁界内に置かれたハードディスク装置等の磁気記憶装置の記憶媒体に作用する磁界を増強させる方法を模索するなかで次のような実験を試みた。
【０００９】
実験例１として、図６に示すように、磁界発生手段としての永久磁石１０１の主面を残して凹形の鉄板２０１で取り囲み、永久磁石１０１のみの時と磁界がどう変るかについて、例えばガウスメータ等により測定した。この例では、永久磁石１０１のみの場合に比して、矢印で示す方向の磁束密度が増加することが確認された。
【００１０】
実験例２として、図７に示すように、コイルスプール１０２にコイル１０３が巻回されている磁界発生手段１０４の近傍に鉄板２０２を立てて配置し、磁界発生手段１０４のみの時と磁界がどう変るかについて、例えばガウスメータ等により測定した。この例では、磁界発生手段１０４のみの時に比して、コイル１０３内の磁束密度が増加しまた均一化することが分かった。
【００１１】
実験例３として、図８に示すように、コイルスプール１０２にコイル１０３が巻回されている磁界発生手段１０４を鉄製の箱形ケース２０３内に収容し、磁界発生手段１０４のみの時と磁界がどう変るかについて、例えばガウスメータ等により測定した。この例でも、磁界発生手段１０４のみの時に比して、コイル１０３内の磁束密度が増加しまた均一化することが分かった。
【００１２】
この発明者等は、これら実験例による結果を検討した結果、磁界発生手段の磁界内に鉄等の磁性体を配設することにより、磁気記憶装置に作用する磁界が増強され、ハードディスク装置等における記録データの消去作用が有効に発揮されることを見出し、この発明を完成させるに至った。
【００１３】
【課題を解決するための手段】
すなわち、上記課題は、装置本体に設けられて、磁気記憶装置が挿入・配置される挿入用空所と、前記挿入用空所に挿入された状態の磁気記憶装置における記録データを消去させるための磁界発生手段と、前記磁界発生手段による磁界内に配設された磁性体部と、を備えたことを特徴とする磁気記憶装置の記録データ消去装置によって解決される。
【００１４】
このデータ消去装置では、装置本体における挿入用空所に磁気記憶装置をセットした状態において、該磁気記憶装置が磁界発生手段による磁界内に置かれることになり、その磁界に基づく磁束によって磁気記憶装置における記憶媒体に記録されたデータが短時間で消去され、しかも、消去装置本体外に磁気記憶装置をセットするものに比して、磁気記憶装置を通過する磁力線が増えるので、データの消去性がよくなる。
【００１５】
とくに、磁界発生手段による磁界内に磁性体部を配置したことにより、例えば鉄系材料等の場合には磁力線が鉄を通過し易くなるために、またアルミニウム系材料等の場合には、磁界によって材料表面または内部に渦電流が発生しこの渦電流が磁界を発生するために、いずれの場合も磁気記憶装置に作用する磁束が増加され、また磁気記憶装置の記憶媒体全体に磁力線が均等的に当り、データ消去効果が高められる。なお、データ消去時における挿入用空所での磁束密度は６０００ガウス〜１５０００ガウスに設定するのがよい。
【００１６】
また、前記磁界発生手段が、前記挿入用空所に挿入・配置された磁気記憶装置を取り巻く態様となるようにリング状に設けられるコイルと、コイルを励磁する直流電源回路とで構成されている場合には、磁界の強さを容易に調整可能となる。
【００１７】
さらに、前記装置本体が、前端面が開放された箱形ケースと、前記箱形ケースの開口を開閉可能に閉塞する蓋体とを備え、前記箱形ケースには、内空部が前記挿入用空所として構成され、かつ外周面にコイルが巻装された中空状のコイルスプールが、前記内空部の開口を該箱形ケースの開口に向けた状態で配備されており、前記箱形ケース及び蓋体が前記磁性体部として構成されている場合には、磁気記憶装置の記憶媒体全体に対して磁力線が均一にかつ有効に行き届き、データ消去効果が高められ、データの消去がむらなく行われる。
【００１８】
【発明の実施の形態】
以下、本発明の実施形態を図面に基づいて説明する。
【００１９】
図１は、本発明の一実施形態に係る磁気記憶装置のデータ消去装置を示す斜視図、図２は、同じくデータ消去装置を示す一部破断側面図、図３は同じくデータ消去装置におけるコイル及び箱形ケースを示す斜視図である。なお、以下の説明では、データ消去対象の磁気記憶装置としてハードディスク装置を例に説明するが、磁気テープカートリッジ等の他の磁気記憶装置にも適用可能である。
【００２０】
図１及び図２において、このデータ消去装置Ａは、装置本体１と、装置本体１に配備されてハードディスク装置Ｍが挿入される挿入用空所２と、装置本体１に配備された磁界発生手段３と、磁界発生手段３の磁界内に配置された磁性体部４とを備えている。
【００２１】
前記装置本体１は、前端面が開放された箱形ケース１１と、この箱形ケース１１の開口１１ａを開閉可能に閉塞する蓋体１２と、箱形ケース１１の外面に装着された前端開放の合成樹脂製箱形外装体１３とからなる。勿論、蓋体１２で箱形ケース１１の前端開口１１ａを閉塞すれば、前記外装体１３の前端開口も開閉可能に閉塞される。
【００２２】
この蓋体１２の後面には、水平姿勢で後方へ突出する板状の保持部材１４の基端が固定されており、この保持部材１４の上面にハードディスク装置Ｍが載置されるようになっている。この保持部材１４は、蓋体１２で前記箱形ケース１１の開口１１ａを閉じた際にハードディスク装置Ｍを保持して前記凹部２内に進入できる程度の幅寸法に形成されている。勿論、保持部材１４は、ハードディスク装置Ｍを支持可能な構造であればよく、板状のものに限らない。また、ハードディスク装置Ｍをユーザが直接、前記装置本体１における挿入用空所２に挿入させる場合には、前記箱形ケース１１もしくは外装体１３の開口端部に蓋体１２を兆番等で開閉可能に装着する構成にすればよい。
【００２３】
前記磁界発生手段３は、例えばコイルスプール３１の外周面に図３に示すように長手方向に沿う状態で多数回巻かれたコイル３２と、後述する直流電源回路（図５）５とで構成されている。前記コイルスプール３１の扁平筒状内空部が前記挿入用空所２として構成されている。なお、コイルスプール３１の前後両端には、それそれつば部３１ａ、３１ｂが一体形成されている。
【００２４】
上記コイルスプール３１は、前側つば部３１ａが箱形ケース１１の開口１１ａに内嵌されるように、前記箱形ケース１１内に収容されるとともに、前記両つば部３１ａ、３１ｂを介して位置決めされており、前側つば部３１ａの開口３１ｃが前記空所２の前端開口、つまり、ハードディスク装置Ｍの挿入口となっている。
【００２５】
前記コイル４は、直流電源回路５により前記コイルスプール３１の内空部である挿入用空所２を貫通する方向の磁界を生起させるものであり、その磁界によりハードディスク装置Ｍにおけるハードディスク（図示せず）の記録データを消去させる。
【００２６】
前記箱形ケース１１及び蓋体１２は、強磁性体、例えば板状の鉄またはその合金製の材料から成形されており、前記磁性体部４を構成している。この磁性体部４は、前記コイル３２により発生した磁界による挿入用空所２内の磁束を増加させるとともに、挿入用空所２の横断面内の磁束密度を均一化させてハードディスク装置Ｍに付加する役目をもっている。換言すれば、磁性体部４は、コイル３２の磁界によるデータ消去作用を助長し均一化させるためのものである。これは、前記鉄系材料からなる箱形ケース１１及び蓋体１２が、コイルから発生した磁力線を通過させ易くなり、このため、挿入用空所２内の磁束の増加、均一化が達成されているものと思われる。特に、ケース１１の開口端部（ハードディスク装置Ｍの挿入口の近傍）において、磁力が強くなる。勿論、磁性体部４の構成材としては、前記鉄系材料に限らず、ニッケル等の他の強磁性体であっても良い。
【００２７】
また、箱形ケース１１及び蓋体１２は、アルミニウムやチタン等の常磁性体で構成されていても良い。この場合も、挿入用空所２内の磁束の増加及び磁束密度の均一化を図ることができる。これは、磁界によって箱形ケース１１及び蓋体１２の表面または内部に渦電流が発生し、この渦電流がさらに磁界を発生するためと思われる。
【００２８】
前記装置本体１内には、前記コイル３２を励磁するために、図５に示す直流電源回路５を有する配線基板（図示せず）が設置されている。
【００２９】
図５において、前記直流電源回路５は、商用交流電源接続用プラグ（図１）４１を有する電源コード４２を介して入力された商用交流電源電圧を所定電圧の直流に変換する直流変換部５１と、直流変換部５１からの電力供給により充電されるとともに、前記コイル３２に並列接続されたコンデンサ５２と、直流変換部５１からコンデンサ５２への入力ラインに介挿されたリアクトル５３と、コンデンサ５２とコイル３２との間に介挿されたスイッチ素子５４とを備えており、前記スイッチ素子５４を閉じることにより、コンデンサ５２に充電された電荷がコイル３２へと放電され、この放電により、コイル３２が磁界を発生するものとなされている。
【００３０】
次に、上記構成のハードディスク装置のデータ消去装置Ａの使用方法を説明する。
【００３１】
直流電源回路５のスイッチ素子５４を開放したまま、前記電源コード４２を介して交流商用電源に接続する。この後、記憶データを消去する必要のあるハードディスク装置Ｍを前記保持部材１４に、その厚み方向を高さ方向にした状態で載置する。次いで、保持部材１４を挿入用空所２内に進入させ、前記蓋体１２で箱形ケース１１の開口部１１ａを閉じることにより、前記ハードディスク装置Ｍが図２及び図４に示すように挿入用空所２内に挿入される。
【００３２】
この時、前記直流電源回路５におけるコンデンサ５２は、直流変換部５１からの電力供給を受けて充電されている。この状態で、スイッチ素子５４を閉じると、コンデンサ５２の充電電荷がコイル３２へと放電され、この放電により、コイル３２の内部空間、つまりハードディスク装置Ｍが配置されている挿入用空所２に磁界が発生し、この磁界による磁力線がハードディスク装置Ｍの金属製ケースを貫通することにより、内部ハードディスクに記録されているシリンダ情報等を含むデータが消去される。
【００３３】
この時、鉄製の箱形ケース１１及び蓋体１２が、コイル３２による磁界内に置かれているので、前記磁界による磁力線が箱形ケース１１及び蓋体１２を通過し易くなり、このため挿入用空所２内における磁束（磁束密度）を１．５倍程度に増加させることができるとともに、磁力線が内部ハードディスクの全体に均等的に行き渡り、データをむらなくほぼ完全に消去させることが可能となる。この場合、箱形ケース１１及び蓋体１２の厚みを大きくする程、一層磁力が増強されて消去効果が高められる。
【００３４】
所定時間経過後、スイッチ素子５４を閉じてコイル３２による磁界の発生を停止させ、次のデータ消去に備える。
【００３５】
ところで、ハードディスク装置Ｍにおいて、シリンダー情報を含む書き込みデータを消去するには、書き込まれている磁化よりも大きな磁力を作用させる必要がある。この観点からは、挿入用空所２に作用するコイル３２による磁界は、大きい方がよい。しかし、ハードディスク装置Ｍには、データを書き込む円盤状の前記ハードディスクの他に制御回路部が内蔵されており、データ消去用の磁界を強くしすぎると、データの消去のみならず制御回路部をも破壊して、ハードディスク装置Ｍの再利用が困難となる。
【００３６】
このため、ハードディスク装置Ｍに作用する磁界の強さは、磁束密度６０００〜１５０００ガウスの範囲に設定されるのがよい。６０００ガウス未満の磁束密度では、データ消去が不十分となる。一方、１５０００ガウスを超えると、データのみならず制御部をも破壊してしまう。特に好ましくは、８０００〜１３０００ガウスである。
【００３７】
なお、コイル３２による磁界の強さは、コイル巻き数や通電する電流値の変更により容易に調整可能である。
【００３８】
前記ハードディスク装置Ｍは、大きな磁界の発生するコイル３２で取り囲まれた挿入用空所２に挿入・配置されて磁力線の通過が多くなることから、少ないコイル重量で大きなデータ消去効果を得ることができる。
【００３９】
なお、前記コイル３２による磁界を発生させる時間、換言すればスイッチ素子５４を閉じている時間は、特に限定されることはないが、望ましくは１０ｍｓ以内に設定するのがよい。１０ｍｓを越えてもデータ消去効果は同じであり、むしろエネルギー効率の低下や時間の無駄となる。
【００４０】
上記によりデータを消去されたハードディスク装置Ｍは、データ消去装置１の凹部２から取り出され、必要に応じて廃棄処分されるか、あるいは再利用される。
【００４１】
なお、上記磁界発生手段３としては、前記実施形態のように、コイル３２を使うものに限らず、永久磁石や電磁石を導入することも可能である。
【００４２】
また、磁性体部４を箱形ケース１１と蓋体１２で構成するものに限定されるものではなく、例えば箱形ケース１１のみを磁性体部４で構成したり、磁界発生手段３による磁界内に磁性体製の平板等を配設する構成も採用可能である。
【００４３】
【発明の効果】
以上のように、この発明は、磁気記憶装置が挿入配置される挿入用空所に対して磁界発生手段による磁界を作用させることから、該磁気記憶装置内の記憶媒体のデータを簡単に消去できることはもとより、とくに、磁界発生手段の磁界内に磁性体部を配設したから、磁気記憶装置に作用する磁束が増加されるうえ、磁力線が記憶媒体全体に対して均一に付与されてデータ消去機能を有効に発揮させることができる。
【００４４】
また、磁気発生手段としてコイル等で構成した場合には、磁界強度を容易に加減調整できる。
【００４５】
さらに、前記磁性体部を、前記磁界発生手段が収容される箱形ケース及び蓋体で構成した場合には、磁界による磁力線を磁気記憶装置の記憶媒体全体に、一層確実に作用させて、データ消去性能を一段と上げることができる。
【図面の簡単な説明】
【図１】この発明の一実施形態にかかる磁気記憶装置のデータ消去装置を示す斜視図である。
【図２】同じくデータ消去装置を示す一部破断側面図である。
【図３】同じくデータ消去装置におけるコイル及び箱形ケースを示す斜視図である。
【図４】図１のＩＶーＩＶ線に沿った断面図である。
【図５】同じくデータ消去装置における直流電源回路を示す電気回路図である。
【図６】磁束密度増加策の実験例の説明図である。
【図７】磁束密度増強策の別の実験例の説明図である。
【図８】磁束密度増加策のさらに別の実験例の説明図である。
【符号の説明】
１・・・・・・装置本体
２・・・・・・挿入用空所（コイルスプールの中空部）
３・・・・・・磁界発生手段
４・・・・・・磁性体部
５・・・・・・直流電源回路
１１・・・・・箱形ケース（磁性体）
１１ａ・・・・箱形ケースの開口
１２・・・・・蓋体（磁性体）
３１・・・・・コイルスプール
３１ｃ・・・・コイルスプール内空部の開口
３２・・・・・コイル
Ｍ・・・・・・ハードディスク装置（磁気記憶装置）
【図１】
2004192683.tif 000003
【図２】
2004192683.tif 000004
【図３】
2004192683.tif 000005
【図４】
2004192683.tif 000006
【図５】
2004192683.tif 000007
【図６】
2004192683.tif 000008
【図７】
2004192683.tif 000009
【図８】
2004192683.tif 000010